(57)【要約】【課題】自宅における家族の在・不在を、確実かつ容易に、知らせることができ、知ることができる、自宅における家族の在・不在通知システムを提供する。【解決手段】子供３，４に携帯してもらう無線ＩＣタグｃ，ｄと、在・不在の対象となる自宅５において無線ＩＣタグｃ，ｄが存在しているか不存在であるかを検知する無線ＩＣタグ親機６と、無線ＩＣタグ親機６からの検知信号に基づいて、無線ＩＣタグｃ，ｄが存在から不存在に変化したと判断したときと、無線ＩＣタグｃ，ｄが不存在から存在に変化したと判断したときとに、両親１，２の携帯電話のメールアドレスに対してそれに対応する内容のメールを送信する制御を行うサーバー７とが備えられている。【選択図】      図１
2012038165.tif 000002
【特許請求の範囲】
【請求項１】
在・不在の対象となる特定の家族に携帯してもらう無線ＩＣタグと、
在・不在の対象となる自宅において前記無線ＩＣタグが存在しているか不存在であるかを検知する無線ＩＣタグ親機と、
該無線ＩＣタグ親機からの検知信号に基づいて、前記無線ＩＣタグが存在から不存在に変化したと判断したときと、前記無線ＩＣタグが不存在から存在に変化したと判断したときとに、特定のメールアドレスに対してそれに対応する内容のメールを送信する制御を行うサーバーと
が備えられていることを特徴とする、自宅における家族の在・不在通知システム。
【請求項２】
前記自宅に設置される人感センサーと、防犯ブザーと、前記人感センサーがヒトの存在を検知したとき、その検知信号に基づいて、前記防犯ブザーに起動指令信号を出力してブザーを鳴らせる制御を行う制御部とを有する防犯システムが備えられ、かつ、
前記無線ＩＣタグを家族全員が携帯し、
前記サーバーは、
・  いずれか少なくとも一つの無線ＩＣタグが存在の状態から、すべての無線ＩＣタグが不存在の状態に変化したとき、前記防犯システムを防犯モードにセットし、
・  すべての無線ＩＣタグが不存在の状態から、いずれか少なくとも一つの無線ＩＣタグが存在の状態に変化したとき、前記防犯システムの防犯モードを解除する
制御を行うようになされている請求項１に記載の、自宅における家族の在・不在通知システム。
【発明の詳細な説明】
【技術分野】
【０００１】
本発明は、自宅における家族の在・不在通知システムに関する。
【背景技術】
【０００２】
自宅における家族の在・不在を知らせる方法や、知る方法として、伝言板や、メモ、電話連絡、ＩＣカードリーダーシステム、監視カメラ等は、提供されている。
【０００３】
また、自宅に設置された防犯システムのセットや解除は、家族がボタンを押すなどの操作をすることで行われている。携帯電話を使って遠隔でセットや解除を行うことも考えられる。
【先行技術文献】
【特許文献】
【０００４】
【特許文献１】特開２００６−３１３４４６号公報
【発明の概要】
【発明が解決しようとする課題】
【０００５】
しかしながら、自宅における家族の在・不在を、上記のような従来の方法で知らせたり、知るためには、知らせようとする者や知ろうとする者が、知らせようとしたり、知ろうとするための積極的な行為をする必要があり、それが厄介であったり、し忘れて、知らせることができなかったり、知ることができなかったりするおそれが高かったりする。
【０００６】
また、防犯システムのセットや解除についても、セットや解除のし忘れを生じて、いざというときに働かないおそれもある。
【０００７】
本発明は、上記のような問題点に鑑み、自宅における家族の在・不在を、確実かつ容易に、知らせることができ、知ることができる、自宅における家族の在・不在通知システムを提供することを課題とする。
【０００８】
また、防犯システムのセットと解除の切換えを、負担を軽くして、確実に行っていくことができるようにすることを課題とする。
【課題を解決するための手段】
【０００９】
上記の課題は、在・不在の対象となる特定の家族に携帯してもらう無線ＩＣタグと、
在・不在の対象となる自宅において前記無線ＩＣタグが存在しているか不存在であるかを検知する無線ＩＣタグ親機と、
該無線ＩＣタグ親機からの検知信号に基づいて、前記無線ＩＣタグが存在から不存在に変化したと判断したときと、前記無線ＩＣタグが不存在から存在に変化したと判断したときとに、特定のメールアドレスに対してそれに対応する内容のメールを送信する制御を行うサーバーと
が備えられていることを特徴とする、自宅における家族の在・不在通知システムによって解決される（第１発明）。
【００１０】
このシステムでは、無線ＩＣタグを在・不在の対象となる特定の家族に携帯してもらうだけで、その家族の自宅における在・不在がメールで通知されるようになされているから、自宅における在・不在を知らせようとする者や知ろうとする者が、知らせようとしたり、知ろうとするための積極的な行為を行わなくても、知らせることができ、知ることができて、自宅における特定の家族の在・不在の通知を確実かつ容易なものにすることができる。
【００１１】
第１発明において、前記自宅に設置される人感センサーと、防犯ブザーと、前記人感センサーがヒトの存在を検知したとき、その検知信号に基づいて、前記防犯ブザーに起動指令信号を出力してブザーを鳴らせる制御を行う制御部とを有する防犯システムが備えられ、かつ、
前記無線ＩＣタグを家族全員が携帯し、
前記サーバーは、
・  いずれか少なくとも一つの無線ＩＣタグが存在の状態から、すべての無線ＩＣタグが不存在の状態に変化したとき、前記防犯システムを防犯モードにセットし、
・  すべての無線ＩＣタグが不存在の状態から、いずれか少なくとも一つの無線ＩＣタグが存在の状態に変化したとき、前記防犯システムの防犯モードを解除する
制御を行うようになされているとよい（第２発明）。
【００１２】
このシステムによれば、無線ＩＣタグを家族全員に携帯してもらうだけで、家族のうちのいずれか少なくとも一人が自宅にいれば、防犯システムは解除状態を維持し、だれも自宅にいなくなれば、防犯システムはセット状態となり、防犯システムのセットと解除の切換えを、負担を軽くして、確実に行っていくことができる。
【００１３】
なお、上記の説明では、第２発明を、第１発明を前提とした発明として特定しているが、本明細書は、第２発明において第１発明を前提としない内容の発明、即ち、防犯システムのセットと解除の切換えシステムの発明をも開示するものである。
【発明の効果】
【００１４】
本発明の自宅における家族の在・不在通知システムは、以上のとおりのものであるから、自宅における家族の在・不在を、確実かつ容易に、知らせることができ、知ることができる。また、防犯システムのセットと解除の切換えを、負担を軽くして、確実に行っていくことができる。
【図面の簡単な説明】
【００１５】
【図１】実施形態のシステムを示す説明図である。
【図２】サーバーにおける第１の制御内容を示すフローチャート図である。
【図３】図（イ）および図（ロ）はそれぞれ、システムの作動状態を示す説明図である。
【図４】サーバーにおける第２の制御内容を示すフローチャート図である。
【図５】図（イ）および図（ロ）はそれぞれ、システムの作動状態を示す説明図である。
【発明を実施するための形態】
【００１６】
次に、本発明の実施形態を図面に基づいて説明する。
【００１７】
図１〜図５に示す実施形態の通知システムは、夫１と妻２、長男３、長女４の４人家族に適用した場合のもので、図１において、５は自宅建物、ａ，ｂ，ｃ，ｄはカード型に形成された無線ＩＣタグであり、建物５には、無線ＩＣタグ親機６と、サーバーとしてのホームサーバー７と、防犯システム８とが設置されている。
【００１８】
無線ＩＣタグは、本実施形態では、家族１〜４の人数分である４つ用意されていて、夫１に無線ＩＣタグａを携帯させ、妻２に無線ＩＣタグｂを携帯させ、長男３に無線ＩＣタグｃを携帯させ、長女４に無線ＩＣタグｄを携帯させ、無線ＩＣタグａで夫１が特定され、無線ＩＣタグｂで妻２が特定され、無線ＩＣタグｃで長男３が特定され、無線ＩＣタグｄで長女４が特定されるようになされていて、在・不在の対象となる特定の家族を長男３と長女４としている。
【００１９】
無線ＩＣタグ親機６は、在・不在の対象となる自宅建物５において無線ＩＣタグａ，ｂ，ｃ，ｄが存在しているか不存在であるかを検知するものであり、その設置数は、建物や敷地の広さ、検知能力等に応じて、適宜決められてよい。
【００２０】
防犯システム８は、人感センサー９と、防犯ブザー１０と、人感センサー９がヒトの存在を検知したとき、その検知信号に基づいて、防犯ブザー１０に起動指令信号を出力してブザーを鳴らせる制御を行う接点装置等による制御部１１とを有する。
【００２１】
ホームサーバー７は、本実施形態では、２つの制御を行う。一つは、家族の在・不在の通知のための制御であり、もう一つは、防犯システム８のセットと解除の制御である。
【００２２】
家族の在・不在の通知のための制御の内容は、図２に示すように、無線ＩＣタグ親機６からの検知信号に基づいて（ステップＳ１）、長男３の携帯する無線ＩＣタグｃが不存在から存在に変化（即ち、帰宅）したか否かを判断し（ステップＳ２）、したなら、特定のメールアドレス、例えば、夫１及び妻２の携帯電話のメールアドレスに「長男３（無線ＩＣタグｃ）が帰宅しました」という内容のメールを送信して（ステップＳ３）、ステップＳ４に移行し、
していないなら、ステップＳ４に移行して、長男３の携帯する無線ＩＣタグｃが存在から不存在に変化（即ち、外出）したか否かを判断し、したなら、前記メールアドレスに「長男３（無線ＩＣタグｃ）が家を出ました」という内容のメールを送信して（ステップＳ５）、ステップＳ６に移行し、
していないなら、ステップＳ６に移行して、長女４の携帯する無線ＩＣタグｄが不存在から存在に変化（即ち、帰宅）したか否かを判断し、したなら、前記メールアドレスに「長女４（無線ＩＣタグｄ）が帰宅しました」という内容のメールを送信して（ステップＳ７）、ステップＳ８に移行し、
していないなら、ステップＳ８に移行して、長女４の携帯する無線ＩＣタグｄが存在から不存在に変化（即ち、外出）したか否かを判断し、したなら、前記メールアドレスに「長女４（無線ＩＣタグｄ）が家を出ました」という内容のメールを送信して（ステップＳ９）、ステップＳ１に戻って上記のステップを繰り返し、
していないなら、やはりステップＳ１に戻って上記のステップを繰り返すというものである。
【００２３】
このような制御によって、図３（イ）に示すように、午後３時頃、長女４が在宅中に、長男３が帰宅すると、両親１，２の図示しない携帯電話に「長男３（無線ＩＣタグｃ）が帰宅しました」という内容のメールが送信されて、両親１，２は長男３が学校から帰宅したことを知り、その後、図３（ロ）に示すように、午後６時頃に、長女４が家を出ると、両親１，２の携帯電話に「長女４（無線ＩＣタグｄ）が家を出ました」という内容のメールが送信されて、両親１，２は長女４が塾へ行ったことを知ることができる。
【００２４】
このように、上記の通知システムでは、無線ＩＣタグｃ，ｄを長男３と長女４に携帯してもらうだけで、彼ら３，４の自宅における在・不在がメールで両親１，２に通知されるようになされているから、自宅における在・不在を知らせようとする者（長男と長女）や知ろうとする者（両親）が、知らせようとしたり、知ろうとするための積極的な行為を行わなくても、知らせることができ、知ることができて、自宅における子供３，４の在・不在の通知を確実かつ容易なものにすることができる。
【００２５】
また、ホームサーバー７によるもう一つの制御である、防犯システム８のセットと解除の制御の内容は、図４に示すように、無線ＩＣタグ親機６からの検知信号に基づいて（ステップＳ１０）、無線ＩＣタグａ〜ｄのうちのいずれか少なくとも一つの無線ＩＣタグが存在の状態から、すべての無線ＩＣタグａ〜ｄが不存在の状態に変化したか否かを判断し（ステップＳ１１）、したなら、防犯システム８の防犯モードをセットして（ステップＳ１２）、ステップＳ１３に移行し、
していないなら、すべての無線ＩＣタグａ〜ｄが不存在の状態から、無線ＩＣタグａ〜ｄのうちのいずれか少なくとも一つの無線ＩＣタグが存在の状態に変化したか否かを判断し（ステップＳ１３）、したなら、防犯システム８の防犯モードを解除して（ステップＳ１４）、ステップＳ１０に戻って上記のステップを繰り返し、
していないなら、やはり、ステップＳ１０に戻って、上記のステップを繰り返すというものである。
【００２６】
このような制御によって、図５（イ）に示すように、家族４人全員が自宅にいると、防犯システム８は解除の状態にあって、人感センサー９がヒトの存在を検知しても、ブザー１０は鳴らず、図５（ロ）に示すように、家族４人全員がすべて家を出ると、防犯システム８はセット状態となって、人感センサー９がヒトを検知すると、制御部１１がブザー１０を鳴らす制御を行う。
【００２７】
これによれば、無線ＩＣタグａ〜ｄを家族１〜４の全員に携帯してもらうだけで、家族１〜４のうちのいずれか少なくとも一人が自宅にいれば、防犯システム８は解除状態を維持し、だれも自宅にいなくなれば、防犯システム８はセット状態となり、防犯システム８のセットと解除の切換えを、家族の負担を軽くして、確実に行っていくことができる。
【００２８】
なお、上記の二つの制御は、上記のように家族全員が無線ＩＣタグを携帯することで、両立する関係にあり、一方の制御を行えばもう一方が成り立たないという関係にならないことは、いうまでもない。
【００２９】
以上に、本発明の実施形態を示したが、本発明はこれに限られるものではなく、発明思想を逸脱しない範囲で各種の変更が可能である。例えば、上記の実施形態では、家族全員がそれぞれ無線ＩＣタグを携帯しているシステムについて説明したが、防犯システムとの連繋を省略したシステム構成にしてもよく、その場合は、長男３と長女４のみに無線ＩＣタグｃ，ｄを携帯させるシステム構成としてもよい。
【符号の説明】
【００３０】
１…夫（家族）
２…妻（家族）
３…長男（家族）
４…長女（家族）
５…自宅建物
６…無線ＩＣタグ親機
７…ホームサーバー（サーバー）
８…防犯システム
９…人感センサー
１０…防犯ブザー
１１…制御部
ａ〜ｄ…無線ＩＣタグ
【図１】
2012038165.tif 000003
【図２】
2012038165.tif 000004
【図３】
2012038165.tif 000005
【図４】
2012038165.tif 000006
【図５】
2012038165.tif 000007